(57)【要約】      （修正有）【課題】足指の垂れ現象を矯正する矯正プレートなどを挿入できる靴下を提供する。【解決手段】丸編により編成される靴下本体部の爪先部２は編成時に通常の靴下の爪先部の２倍の大きさの編地となるように作られており、編成直後の靴下本体部が裏向いた状態で前記編地を靴下本体部の内側に２つ折りし、靴下本体部の内側に位置する２つ折りした前記編地の折り目４を爪先部２下面を形成する下側の編地５に横長さ方向全長に亘って縫着せしめ、爪先部２の先端部６における両端の内、少なくとも一端を残して他の部分を縫製により閉じてなり、２つ折りされ内側に位置する上下の編地１０ａ，１０ｂ間に爪先部２の先端部６における少なくとも一端の開口部に繋がる袋部１０が形成されており、この袋部１０に対し爪先部２の先端部における少なくとも一端の開口部より足指の垂れを防止するための矯正プレート１２を挿入した。【選択図】図８
0003158245.tif 000002
【実用新案登録請求の範囲】
【請求項１】
丸編により編成される靴下本体部の爪先部は編成時に通常の靴下の爪先部の２倍の大きさの編地となるように作られており、編成直後の靴下本体部が裏向いた状態で前記編地を靴下本体部の内側に２つ折りし、靴下本体部の内側に位置する２つ折りした前記編地の折り目を靴下本体部を裏向けた状態において爪先部下面を形成する下側の編地に横長さ方向全長に亘って縫着せしめ、爪先部の先端部における両端の内、少なくとも一端を残して他の部分を縫製により閉じてなり、編成段階において開かれている爪先部上部の開口部が縫製により閉じられてなり、２つ折りされ内側に位置する上下の編地間に爪先部の先端部における少なくとも一端の開口部に繋がる袋部が形成されていることを特徴とする靴下。
【請求項２】
丸編により編成される靴下本体部の爪先部は編成時に通常の靴下の爪先部の２倍の大きさの編地となるように作られており、編成直後の靴下本体部が裏向いた状態で前記編地を靴下本体部の内側に２つ折りし、靴下本体部の内側に位置する２つ折りした前記編地の折り目を靴下本体部を裏向けた状態において爪先部下面を形成する下側の編地に横長さ方向中央部に適当長さ残して両側部を縫着せしめ、爪先部の先端部が全長に亘って縫製により閉じられてなり、編成段階において開かれている爪先部上部の開口部が縫製により閉じられてなり、表に向けられた靴下本体部の爪先部の裏面において前記２つ折りされた上下の編地が上下逆になって上側に位置する編地と靴下本体部の爪先部下面を形成する下側の編地の間の袋部に繋がる開口部が横長さ方向中央部に形成されていることを特徴とする靴下。
【請求項３】
丸編により編成される靴下本体部の爪先部は編成時に通常の靴下の爪先部の２倍の大きさの編地となるように作られており、編成直後の靴下本体部が裏向いた状態で前記編地を靴下本体部の内側に２つ折りし、靴下本体部の内側に位置する２つ折りした前記編地の折り目を靴下本体部を裏向けた状態において爪先部上面を形成する上側の編地に横長さ方向全長に亘って縫着せしめ、爪先部の先端部における両端の内、少なくとも一端を残して他の部分を縫製により閉じてなり、編成段階において開かれている爪先部上部の開口部が縫製により閉じられてなり、２つ折りされ内側に位置する上下の編地間に爪先部の先端部における少なくとも一端の開口部に繋がる袋部が形成されていることを特徴とする靴下。
【請求項４】
丸編により編成される靴下本体部の爪先部は編成時に通常の靴下の爪先部の２倍の大きさの編地となるように作られており、編成直後の靴下本体部が裏向いた状態で前記編地を靴下本体部の内側に２つ折りし、靴下本体部の内側に位置する２つ折りした前記編地の折り目を靴下本体部を裏向けた状態において爪先部上面を形成する上側の編地に横長さ方向中央部に適当長さ残して両側部を縫着せしめ、爪先部の先端部が全長に亘って縫製により閉じられてなり、編成段階において開かれている爪先部上部の開口部が縫製により閉じられてなり、表に向けられた靴下本体部の爪先部の上面において前記２つ折りされた上下の編地が上下逆になって下側に位置する編地と靴下本体部の爪先部上面を形成する上側の編地の間の袋部に繋がる開口部が横長さ方向中央部に形成されていることを特徴とする靴下。
【考案の詳細な説明】
【技術分野】
【０００１】
本考案は、足指を包む部分に袋部を設けた靴下に関するものである。
【背景技術】
【０００２】
従来から足（脚）を保護するための靴下としては例えば特許文献１に開示されているように、脛の部分を怪我から守るために合成樹脂製の保護カバーを収納できるようにした靴下が知られている。
【先行技術文献】
【特許文献】
【０００３】
【特許文献１】特開平８−３５１０４号公報
【考案の概要】
【考案が解決しようとする課題】
【０００４】
上記特許文献１に開示されている靴下は、脛の部分を怪我から守るために合成樹脂製の保護カバーを収納できるようにした構成となっているものであって、足指を矯正したりするものではなかった。
【０００５】
最近、老化などによる足指の垂れ現象によりつまづいて怪我をするという問題が話題になっているが、これらの問題に対処できるような靴下は知られていない。
本考案の目的は、このような課題を解決するものであり、足指を包む部分に例えば老化などによる足指の垂れ現象を矯正するために矯正プレートを挿入したり、保温などのために薬剤カイロを挿入したりできるようにした靴下を提供することにある。
【課題を解決するための手段】
【０００６】
本考案の請求項１に記載の靴下は、丸編により編成される靴下本体部の爪先部は編成時に通常の靴下の爪先部の２倍の大きさの編地となるように作られており、編成直後の靴下本体部が裏向いた状態で前記編地を靴下本体部の内側に２つ折りし、靴下本体部の内側に位置する２つ折りした前記編地の折り目を靴下本体部を裏向けた状態において爪先部下面を形成する下側の編地に横長さ方向全長に亘って縫着せしめ、爪先部の先端部における両端の内、少なくとも一端を残して他の部分を縫製により閉じてなり、編成段階において開かれている爪先部上部の開口部が縫製により閉じられてなり、２つ折りされ内側に位置する上下の編地間に爪先部の先端部における少なくとも一端の開口部に繋がる袋部が形成されていることを特徴とする。
【０００７】
請求項２に記載の靴下は、丸編により編成される靴下本体部の爪先部は編成時に通常の靴下の爪先部の２倍の大きさの編地となるように作られており、編成直後の靴下本体部が裏向いた状態で前記編地を靴下本体部の内側に２つ折りし、靴下本体部の内側に位置する２つ折りした前記編地の折り目を靴下本体部を裏向けた状態において爪先部下面を形成する下側の編地に横長さ方向中央部に適当長さ残して両側部を縫着せしめ、爪先部の先端部が全長に亘って縫製により閉じられてなり、編成段階において開かれている爪先部上部の開口部が縫製により閉じられてなり、表に向けられた靴下本体部の爪先部の裏面において前記２つ折りされた上下の編地が上下逆になって上側に位置する編地と靴下本体部の爪先部下面を形成する下側の編地の間の袋部に繋がる開口部が横長さ方向中央部に形成されていることを特徴とする。
【０００８】
請求項３に記載の靴下は、丸編により編成される靴下本体部の爪先部は編成時に通常の靴下の爪先部の２倍の大きさの編地となるように作られており、編成直後の靴下本体部が裏向いた状態で前記編地を靴下本体部の内側に２つ折りし、靴下本体部の内側に位置する２つ折りした前記編地の折り目を靴下本体部を裏向けた状態において爪先部上面を形成する上側の編地に横長さ方向全長に亘って縫着せしめ、爪先部の先端部における両端の内、少なくとも一端を残して他の部分を縫製により閉じてなり、編成段階において開かれている爪先部上部の開口部が縫製により閉じられてなり、２つ折りされ内側に位置する上下の編地間に爪先部の先端部における少なくとも一端の開口部に繋がる袋部が形成されていることを特徴とする。
【０００９】
請求項４に記載の靴下は、丸編により編成される靴下本体部の爪先部は編成時に通常の靴下の爪先部の２倍の大きさの編地となるように作られており、編成直後の靴下本体部が裏向いた状態で前記編地を靴下本体部の内側に２つ折りし、靴下本体部の内側に位置する２つ折りした前記編地の折り目を靴下本体部を裏向けた状態において爪先部上面を形成する上側の編地に横長さ方向中央部に適当長さ残して両側部を縫着せしめ、爪先部の先端部が全長に亘って縫製により閉じられてなり、編成段階において開かれている爪先部上部の開口部が縫製により閉じられてなり、表に向けられた靴下本体部の爪先部の上面において前記２つ折りされた上下の編地が上下逆になって下側に位置する編地と靴下本体部の爪先部上面を形成する上側の編地の間の袋部に繋がる開口部が横長さ方向中央部に形成されていることを特徴とする。
【考案の効果】
【００１０】
以上のように本考案の靴下は、足指下側に位置する袋部に対し例えば矯正プレートを挿入し、この矯正プレートで足指を受けるようにすることにより、老化などによる足指の垂れ現象を防止し、つまづいて怪我をするという問題を矯正しながら解消することができる。また、足指上側に位置する袋部に対し例えば薬剤カイロを挿入し、靴下の中で薬剤カイロが足指に被さるようにすることにより、保温効果を得ることができる。このように、足指の下側あるいは上側に位置する袋部に対し矯正プレートあるいは薬剤カイロなど必要なものを挿入できるものであって、矯正プレートや薬剤カイロなどは上下の編地間の袋部に繋がる開口部より容易に挿脱でき、矯正プレートや薬剤カイロなどを取り出した状態で靴下を洗濯することができる。
【図面の簡単な説明】
【００１１】
【図１】本考案の第１の実施の形態における製造途中の段階を示す靴下の裏向き状態の斜視図である。
【図２】同爪先部の編地を２つ折りした状態を示す斜視図である。
【図３】同２つ折りした編地の折り目を下側の編地に横長さ方向全長に亘って縫着し、爪先部の先端部における一端を残して他の部分を縫製により閉じ、爪先部上部の開口部を縫製により閉じた状態を示す斜視図である。
【図４】同爪先部上部の開口部の耳部が切除された状態を示す斜視図である。
【図５】同爪先部の袋部に矯正プレートを挿入する状態を示す斜視図である。
【図６】同爪先部の袋部に矯正プレートを挿入した状態を示す斜視図である。
【図７】同爪先部の袋部に矯正プレートが挿入され完成した靴下を表向けた状態を示す斜視図である。
【図８】同爪先部の袋部に矯正プレートが挿入された靴下の要部拡大断面図である。
【図９】同矯正プレートが挿入された靴下を履いた状態を示す断面図である。
【図１０】本考案の第２の実施の形態における靴下を裏向けた状態において２つ折りした編地の折り目を爪先部下面を形成する下側の編地に横長さ方向中央部に適当長さ残して両側部を縫着し、爪先部の先端部を縫製により閉じ、爪先部上部の開口部を縫製により閉じた状態を示す斜視図である。
【図１１】同靴下本体部を表向けた状態を示す斜視図である。
【図１２】同爪先部の袋部に矯正プレートを挿入する状態を示す斜視図である。
【図１３】同爪先部の袋部に矯正プレートを挿入した状態を示す斜視図である。
【図１４】同爪先部の袋部に矯正プレートが挿入された靴下の要部拡大断面図である。
【図１５】同矯正プレートが挿入された靴下を履いた状態を示す断面図である。
【図１６】本考案の第３の実施の形態における靴下を裏向けた状態において２つ折りした編地の折り目を上側の編地に横長さ方向全長に亘って縫着し、爪先部の先端部における一端を残して他の部分を縫製により閉じ、爪先部上部の開口部を縫製により閉じた状態を示す斜視図である。
【図１７】同爪先部の袋部に薬剤カイロを挿入する状態を示す斜視図である。
【図１８】同爪先部の袋部に薬剤カイロを挿入した状態を示す斜視図である。
【図１９】同爪先部の袋部に薬剤カイロが挿入された靴下の要部拡大断面図である。
【図２０】同薬剤カイロが挿入された靴下を履いた状態を示す断面図である。
【図２１】本考案の第４の実施の形態における靴下を裏向けた状態において２つ折りした編地の折り目を爪先部上面を形成する上側の編地に横長さ方向中央部に適当長さ残して両側部を縫着し、爪先部の先端部を縫製により閉じ、爪先部上部の開口部を縫製により閉じた状態を示す斜視図である。
【図２２】同爪先部の袋部に薬剤カイロを挿入する状態を示す斜視図である。
【図２３】同爪先部の袋部に薬剤カイロを挿入した状態を示す斜視図である。
【図２４】同爪先部の袋部に薬剤カイロが挿入された靴下の要部拡大断面図である。
【図２５】同薬剤カイロが挿入された靴下を履いた状態を示す断面図である。
【考案を実施するための形態】
【００１２】
以下、本考案の実施の形態について、図面に基づいて説明する。
先ず、図１〜図９に示す第１の実施の形態について説明すると、１は丸編により編成される靴下本体部で、この靴下本体部１の爪先部２は編成時に通常の靴下の爪先部の２倍の大きさの編地３となるように作られ、編成直後の靴下本体部１が裏向いた状態で前記編地３を靴下本体部１の内側に２つ折りし、靴下本体部１の内側に位置する２つ折りした前記編地３の折り目４を靴下本体部１を裏向けた状態において爪先部２下面を形成する下側の編地５に横長さ方向全長に亘って縫着せしめ、爪先部２の先端部６における両端の内、少なくとも一端を残して他の部分を縫製により閉じる。前記爪先部２上部には靴下本体部１の編成段階において開口部７が形成されており、靴下本体部１の製造過程において、前記爪先部２の先端部６が少なくとも一端を残して他の部分を縫製により閉じられた後、開口部７が縫製により閉じられる。その後、開口部７の耳部８が切除される。９は縫着部である。
【００１３】
上記のように作られて、裏向き状態の靴下は靴下本体部１の爪先部２の先端部６における少なくとも一端は縫着されずに開口しており、２つ折りされ内側に位置する上下の編地１０ａ，１０ｂ間に前記先端部６における一端の開口部１１に繋がる袋部１０が形成されており、この袋部１０に対し前記開口部１１より足指の垂れを防止するための矯正プレート１２を挿脱できるように構成されている。なお、前記開口部１１は先端部６における一端に形成されているが、他端にも形成されていても良い。また、２つ折りした前記編地３の折り目４は爪先部２上面を形成する上側の編地１３には縫着されていない。さらに、前記矯正プレート１２はアルミなどの金属あるいは合成樹脂を材料に用いて作られるもので、この矯正プレート１２の形状は２つ折りされ内側に位置する上下の編地１０ａ，１０ｂ間の袋部１０に合う上弦の月に近い形に作られており、足指が当接する部分が下側に湾曲するように作られている。
【００１４】
そして、最終的に靴下本体部１を表に向けることにより靴下が完成する。なお、前記開口部７を縫製により閉じる作業は前記編地３を２つ折りした直後に行なうようにしても良い。
【００１５】
上記した第１の実施の形態において矯正プレート１２が挿入された靴下を着用した場合、足指は前記２つ折りされた上下の編地１０ａ，１０ｂの内、上側の編地１０ａと前記爪先部２上面を形成する上側の編地１３との間に挿入され、２つ折りされた上下の編地１０ａ，１０ｂの内、上側の編地１０ａを介して矯正プレート１２上に載るようになる。そして、足指は靴下の中で矯正プレート１２上に載った状態になるので、老化などによる足指の垂れ現象を矯正プレート１２で防止することができ、つまづいて怪我をするという問題を矯正しながら解消することができる。
【００１６】
次に、図１０〜図１５に示す第２の実施の形態について説明すると、この第２の実施の形態における靴下も前記第１の実施の形態と同様に、丸編により編成される靴下本体部１の爪先部２は編成時に通常の靴下の爪先部の２倍の大きさの編地３となるように作られている。そして第１の実施の形態と異なる点は、編成直後の靴下本体部１が裏向いた状態で前記編地３を２つ折りし、その折り目４を内側に位置せしめることは第１の実施の形態と同様であるが、２つ折りした前記編地３の折り目４を靴下本体部１を裏向けた状態において爪先部２下面を形成する下側の編地５に横長さ方向中央部に適当長さ残して両側部を縫着せしめ、爪先部２の先端部６を全長に亘って縫製により閉じるところにある。
【００１７】
他の構成は使用される矯正プレートの形状を除いて第１の実施の形態と同様である。そして、この第２の実施の形態の靴下は、靴下本体部１を表に向けることにより爪先部２の裏面において前記２つ折りされた上下の編地１０ａ，１０ｂが上下逆になって爪先部２下面を形成する下側の編地５の裏面に重なり、上側に位置する編地１０ｂと爪先部２下面を形成する下側の編地５との間の袋部１０に繋がる開口部１４が横長さ方向中央部に形成されることになり、前記上側に位置する編地１０ｂと下側の編地５との間の袋部１０に対し前記開口部１４より足指の垂れを防止するための矯正プレート１５を挿脱できるように構成されている。この矯正プレート１５の形状は前記第１の実施の形態と異なり、第１の実施の形態の矯正プレート１２を２枚向かい合わせに繋いだ形状を呈している。詳しくは、上弦の月状の２枚の矯正プレート１２のほぼ直線部を互いに平行となるように近づけ、前記開口部１４とほぼ同長さの幅の狭い繋がり部１５ａを介してプレート部１５ｂ，１５ｃを一体に備えている。プレート部１５ｂとプレート部１５ｃとの間の幅の狭い繋がり部１５ａの両側には隙間１５ｄ，１５ｄが形成されている。さらに、プレート部１５ｂ，１５ｃの内、一方のプレート部１５ｂは前記第１の実施の形態の矯正プレート１２と同様に足指が当接する部分が下側に湾曲するように作られて、前記開口部１４より上側に位置する編地１０ｂと爪先部２下面を形成する下側の編地５との間の袋部１０に対し挿入され、他方のプレート部１５ｃは扁平状のままで編地１０ｂ，５間の袋部１０より外方に突出して靴下本体部１の爪先部２に近い裏面に重なるようになる。
【００１８】
なお、２つ折りした前記編地３の折り目４は爪先部２上面を形成する上側の編地１３には縫着されていない。
上記した第２の実施の形態において矯正プレート１５のプレート部１５ｂが前記上側に位置する編地１０ｂと下側の編地５との間の袋部１０に挿入された靴下を着用した場合、足指は前記前記爪先部２上面を形成する上側の編地１３と爪先部２下面を形成する下側の編地５との間に挿入され、爪先部２下面を形成する下側の編地５を介して矯正プレート１２上に載るようになる。そして、足指は靴下の中で矯正プレート１２上に載った状態になるので、老化などによる足指の垂れ現象を矯正プレート１２で防止することができ、つまづいて怪我をするという問題を矯正しながら解消することができる。また、編地１０ｂ，５間の袋部１０より外方に突出するプレート部１５ｃは足指を除く足の前端部を受ける役目をするものであるが、必ずしも設ける必要がない。
【００１９】
次に、図１６〜図２０に示す第３の実施の形態について説明すると、この第３の実施の形態は前記第１の実施の形態の靴下を変形させて第１の実施の形態とは異なった目的に使用できるようにしたものである。第１の実施の形態と異なる点は、２つ折りした前記編地３の折り目４が爪先部２上面を形成する上側の編地１３に横長さ方向全長に亘って縫着されており、爪先部２下面を形成する下側の編地５に縫着されていないことであり、他の構成は第１の実施の形態と同様である。なお、この第３の実施の形態において２つ折りされ内側に位置する上下の編地１０ａ，１０ｂ間の袋部１０に対し先端部６における一端の開口部１６より細長の薬剤カイロ１７が靴下裏向き状態で挿入され、その後靴下は表に向けられる。
【００２０】
この第３の実施の形態の靴下を着用した場合、足指は前記２つ折りされた上下の編地１０ａ，１０ｂの内、下側の編地１０ｂと爪先部２下面を形成する下側の編地５との間に挿入され、挿入された足指に対し２つ折りされた上下の編地１０ａ，１０ｂの内、下側の編地１０ｂを介して薬剤カイロ１７が被さるようになる。そして、足指には靴下の中で薬剤カイロ１７が被さった状態になるので、足指の保温効果が得られることになる。
【００２１】
次に、図２１〜図２５に示す第４の実施の形態について説明すると、この第４の実施の形態は前記第２の実施の形態の靴下を変形させて第２の実施の形態とは異なった目的に使用できるようにしたものである。第２の実施の形態と異なる点は、２つ折りした前記編地３の折り目４を靴下本体部１を裏向けた状態において爪先部２上面を形成する上側の編地１３に横長さ方向中央部に適当長さ残して両側部を縫着してあり、靴下本体部１を表に向けることにより爪先部２の上面において前記２つ折りされた上下の編地１０ａ，１０ｂが上下逆になって爪先部２上面を形成する上側の編地１３の上面に重なり、下側に位置する編地１０ａと靴下本体部１の爪先部２上面を形成する上側の編地１３との間の袋部１０に繋がる開口部１８が横長さ方向中央部に形成されることになり、前記下側に位置する編地１０ａと上側の編地１３との間の袋部１０に対し前記開口部１８より薬剤カイロ１７を挿脱できるように構成されている。そして、２つ折りした前記編地３の折り目４は爪先部２下面を形成する下側の編地５には縫着されていないことであり、他の構成は第２の実施の形態と同様である。
【００２２】
この第４の実施の形態の靴下を着用した場合、足指は前記前記爪先部２上面を形成する上側の編地１３と爪先部２下面を形成する下側の編地５との間に挿入され、爪先部２上面を形成する上側の編地１３を介して薬剤カイロ１７が被さるようになる。そして、足指には靴下の中で薬剤カイロ１７が被さった状態になるので、足指の保温効果が得られることになる。
【００２３】
要するに、以上述べた実施の形態からも分かるように、本考案の靴下は足指を包む部分に袋部１０を設けた靴下であって、袋部１０には上記した矯正プレートや薬剤カイロを収納できるものである。なお、袋部１０に収納するものとしては矯正プレートや薬剤カイロに限定されるものではない。
【産業上の利用可能性】
【００２４】
本考案の靴下は、例えば老化などによる足指の垂れ現象を矯正するような矯正プレートなどを収納できるようにした靴下である。
【符号の説明】
【００２５】
１      靴下本体部
２      爪先部
３      編地
４      折り目
５      下側の編地
６      先端部
７      開口部
８      耳部
９      縫着部
１０      袋部
１０ａ    上側の編地
１０ｂ    下側の編地
１１      開口部
１２      矯正プレート
１３      上側の編地
１４      開口部
１５      矯正プレート
１５ａ    繋がり部
１５ｂ    プレート部
１５ｃ    プレート部
１５ｄ    隙間
１６      開口部
１７      薬剤カイロ
１８      開口部
【図１】
0003158245.tif 000003
【図２】
0003158245.tif 000004
【図３】
0003158245.tif 000005
【図４】
0003158245.tif 000006
【図５】
0003158245.tif 000007
【図６】
0003158245.tif 000008
【図７】
0003158245.tif 000009
【図８】
0003158245.tif 000010
【図９】
0003158245.tif 000011
【図１０】
0003158245.tif 000012
【図１１】
0003158245.tif 000013
【図１２】
0003158245.tif 000014
【図１３】
0003158245.tif 000015
【図１４】
0003158245.tif 000016
【図１５】
0003158245.tif 000017
【図１６】
0003158245.tif 000018
【図１７】
0003158245.tif 000019
【図１８】
0003158245.tif 000020
【図１９】
0003158245.tif 000021
【図２０】
0003158245.tif 000022
【図２１】
0003158245.tif 000023
【図２２】
0003158245.tif 000024
【図２３】
0003158245.tif 000025
【図２４】
0003158245.tif 000026
【図２５】
0003158245.tif 000027
【手続補正書】
【提出日】平成22年2月12日(2010.2.12)
【手続補正１】
【補正対象書類名】実用新案登録請求の範囲
【補正対象項目名】全文
【補正方法】変更
【補正の内容】
【実用新案登録請求の範囲】
【請求項１】
丸編により編成される靴下本体部の爪先部は編成時に靴下の爪先部の２倍の大きさの編地となるように作られており、編成直後の靴下本体部が裏向いた状態で前記編地を靴下本体部の内側に２つ折りし、靴下本体部の内側に位置する２つ折りした前記編地の折り目を靴下本体部を裏向けた状態において爪先部下面を形成する下側の編地に横長さ方向全長に亘って縫着せしめ、爪先部の先端部における両端の内、少なくとも一端を残して他の部分を縫製により閉じてなり、編成段階において開かれている爪先部上部の開口部が縫製により閉じられてなり、２つ折りされ内側に位置する上下の編地間に爪先部の先端部における少なくとも一端の開口部に繋がる袋部が形成されていることを特徴とする靴下。
【請求項２】
丸編により編成される靴下本体部の爪先部は編成時に靴下の爪先部の２倍の大きさの編地となるように作られており、編成直後の靴下本体部が裏向いた状態で前記編地を靴下本体部の内側に２つ折りし、靴下本体部の内側に位置する２つ折りした前記編地の折り目を靴下本体部を裏向けた状態において爪先部下面を形成する下側の編地に横長さ方向中央部に適当長さ残して両側部を縫着せしめ、爪先部の先端部が全長に亘って縫製により閉じられてなり、編成段階において開かれている爪先部上部の開口部が縫製により閉じられてなり、表に向けられた靴下本体部の爪先部の裏面において前記２つ折りされた上下の編地が上下逆になって上側に位置する編地と靴下本体部の爪先部下面を形成する下側の編地の間の袋部に繋がる開口部が横長さ方向中央部に形成されていることを特徴とする靴下。
【請求項３】
丸編により編成される靴下本体部の爪先部は編成時に靴下の爪先部の２倍の大きさの編地となるように作られており、編成直後の靴下本体部が裏向いた状態で前記編地を靴下本体部の内側に２つ折りし、靴下本体部の内側に位置する２つ折りした前記編地の折り目を靴下本体部を裏向けた状態において爪先部上面を形成する上側の編地に横長さ方向全長に亘って縫着せしめ、爪先部の先端部における両端の内、少なくとも一端を残して他の部分を縫製により閉じてなり、編成段階において開かれている爪先部上部の開口部が縫製により閉じられてなり、２つ折りされ内側に位置する上下の編地間に爪先部の先端部における少なくとも一端の開口部に繋がる袋部が形成されていることを特徴とする靴下。
【請求項４】
丸編により編成される靴下本体部の爪先部は編成時に靴下の爪先部の２倍の大きさの編地となるように作られており、編成直後の靴下本体部が裏向いた状態で前記編地を靴下本体部の内側に２つ折りし、靴下本体部の内側に位置する２つ折りした前記編地の折り目を靴下本体部を裏向けた状態において爪先部上面を形成する上側の編地に横長さ方向中央部に適当長さ残して両側部を縫着せしめ、爪先部の先端部が全長に亘って縫製により閉じられてなり、編成段階において開かれている爪先部上部の開口部が縫製により閉じられてなり、表に向けられた靴下本体部の爪先部の上面において前記２つ折りされた上下の編地が上下逆になって下側に位置する編地と靴下本体部の爪先部上面を形成する上側の編地の間の袋部に繋がる開口部が横長さ方向中央部に形成されていることを特徴とする靴下。
【手続補正２】
【補正対象書類名】明細書
【補正対象項目名】全文
【補正方法】変更
【補正の内容】
【考案の詳細な説明】
【技術分野】
【０００１】
本考案は、足指を包む部分に袋部を設けた靴下に関するものである。
【背景技術】
【０００２】
従来から足（脚）を保護するための靴下としては例えば特許文献１に開示されているように、脛の部分を怪我から守るために合成樹脂製の保護カバーを収納できるようにした靴下が知られている。
【先行技術文献】
【特許文献】
【０００３】
【特許文献１】特開平８−３５１０４号公報
【考案の概要】
【考案が解決しようとする課題】
【０００４】
上記特許文献１に開示されている靴下は、脛の部分を怪我から守るために合成樹脂製の保護カバーを収納できるようにした構成となっているものであって、足指を矯正したりするものではなかった。
【０００５】
最近、老化などによる足指の垂れ現象によりつまづいて怪我をするという問題が話題になっているが、これらの問題に対処できるような靴下は知られていない。
【０００６】
本考案の目的は、このような課題を解決するものであり、足指を包む部分に例えば老化などによる足指の垂れ現象を矯正するために矯正プレートを挿入したり、保温などのために薬剤カイロを挿入したりできるようにした靴下を提供することにある。
【課題を解決するための手段】
【０００７】
本考案の請求項１に記載の靴下は、丸編により編成される靴下本体部の爪先部は編成時に靴下の爪先部の２倍の大きさの編地となるように作られており、編成直後の靴下本体部が裏向いた状態で前記編地を靴下本体部の内側に２つ折りし、靴下本体部の内側に位置する２つ折りした前記編地の折り目を靴下本体部を裏向けた状態において爪先部下面を形成する下側の編地に横長さ方向全長に亘って縫着せしめ、爪先部の先端部における両端の内、少なくとも一端を残して他の部分を縫製により閉じてなり、編成段階において開かれている爪先部上部の開口部が縫製により閉じられてなり、２つ折りされ内側に位置する上下の編地間に爪先部の先端部における少なくとも一端の開口部に繋がる袋部が形成されていることを特徴とする。
【０００８】
請求項２に記載の靴下は、丸編により編成される靴下本体部の爪先部は編成時に靴下の爪先部の２倍の大きさの編地となるように作られており、編成直後の靴下本体部が裏向いた状態で前記編地を靴下本体部の内側に２つ折りし、靴下本体部の内側に位置する２つ折りした前記編地の折り目を靴下本体部を裏向けた状態において爪先部下面を形成する下側の編地に横長さ方向中央部に適当長さ残して両側部を縫着せしめ、爪先部の先端部が全長に亘って縫製により閉じられてなり、編成段階において開かれている爪先部上部の開口部が縫製により閉じられてなり、表に向けられた靴下本体部の爪先部の裏面において前記２つ折りされた上下の編地が上下逆になって上側に位置する編地と靴下本体部の爪先部下面を形成する下側の編地の間の袋部に繋がる開口部が横長さ方向中央部に形成されていることを特徴とする。
【０００９】
請求項３に記載の靴下は、丸編により編成される靴下本体部の爪先部は編成時に靴下の爪先部の２倍の大きさの編地となるように作られており、編成直後の靴下本体部が裏向いた状態で前記編地を靴下本体部の内側に２つ折りし、靴下本体部の内側に位置する２つ折りした前記編地の折り目を靴下本体部を裏向けた状態において爪先部上面を形成する上側の編地に横長さ方向全長に亘って縫着せしめ、爪先部の先端部における両端の内、少なくとも一端を残して他の部分を縫製により閉じてなり、編成段階において開かれている爪先部上部の開口部が縫製により閉じられてなり、２つ折りされ内側に位置する上下の編地間に爪先部の先端部における少なくとも一端の開口部に繋がる袋部が形成されていることを特徴とする。
【００１０】
請求項４に記載の靴下は、丸編により編成される靴下本体部の爪先部は編成時に靴下の爪先部の２倍の大きさの編地となるように作られており、編成直後の靴下本体部が裏向いた状態で前記編地を靴下本体部の内側に２つ折りし、靴下本体部の内側に位置する２つ折りした前記編地の折り目を靴下本体部を裏向けた状態において爪先部上面を形成する上側の編地に横長さ方向中央部に適当長さ残して両側部を縫着せしめ、爪先部の先端部が全長に亘って縫製により閉じられてなり、編成段階において開かれている爪先部上部の開口部が縫製により閉じられてなり、表に向けられた靴下本体部の爪先部の上面において前記２つ折りされた上下の編地が上下逆になって下側に位置する編地と靴下本体部の爪先部上面を形成する上側の編地の間の袋部に繋がる開口部が横長さ方向中央部に形成されていることを特徴とする。
【考案の効果】
【００１１】
以上のように本考案の靴下は、足指下側に位置する袋部に対し例えば矯正プレートを挿入し、この矯正プレートで足指を受けるようにすることにより、老化などによる足指の垂れ現象を防止し、つまづいて怪我をするという問題を矯正しながら解消することができる。また、足指上側に位置する袋部に対し例えば薬剤カイロを挿入し、靴下の中で薬剤カイロが足指に被さるようにすることにより、保温効果を得ることができる。このように、足指の下側あるいは上側に位置する袋部に対し矯正プレートあるいは薬剤カイロなど必要なものを挿入できるものであって、矯正プレートや薬剤カイロなどは上下の編地間の袋部に繋がる開口部より容易に挿脱でき、矯正プレートや薬剤カイロなどを取り出した状態で靴下を洗濯することができる。
【図面の簡単な説明】
【００１２】
【図１】本考案の第１の実施の形態における製造途中の段階を示す靴下の裏向き状態の斜視図である。
【図２】同爪先部の編地を２つ折りした状態を示す斜視図である。
【図３】同２つ折りした編地の折り目を下側の編地に横長さ方向全長に亘って縫着し、爪先部の先端部における一端を残して他の部分を縫製により閉じ、爪先部上部の開口部を縫製により閉じた状態を示す斜視図である。
【図４】同爪先部上部の開口部の耳部が切除された状態を示す斜視図である。
【図５】同爪先部の袋部に矯正プレートを挿入する状態を示す斜視図である。
【図６】同爪先部の袋部に矯正プレートを挿入した状態を示す斜視図である。
【図７】同爪先部の袋部に矯正プレートが挿入され完成した靴下を表向けた状態を示す斜視図である。
【図８】同爪先部の袋部に矯正プレートが挿入された靴下の要部拡大断面図である。
【図９】同矯正プレートが挿入された靴下を履いた状態を示す断面図である。
【図１０】本考案の第２の実施の形態における靴下を裏向けた状態において２つ折りした編地の折り目を爪先部下面を形成する下側の編地に横長さ方向中央部に適当長さ残して両側部を縫着し、爪先部の先端部を縫製により閉じ、爪先部上部の開口部を縫製により閉じた状態を示す斜視図である。
【図１１】同靴下本体部を表向けた状態を示す斜視図である。
【図１２】同爪先部の袋部に矯正プレートを挿入する状態を示す斜視図である。
【図１３】同爪先部の袋部に矯正プレートを挿入した状態を示す斜視図である。
【図１４】同爪先部の袋部に矯正プレートが挿入された靴下の要部拡大断面図である。
【図１５】同矯正プレートが挿入された靴下を履いた状態を示す断面図である。
【図１６】本考案の第３の実施の形態における靴下を裏向けた状態において２つ折りした編地の折り目を上側の編地に横長さ方向全長に亘って縫着し、爪先部の先端部における一端を残して他の部分を縫製により閉じ、爪先部上部の開口部を縫製により閉じた状態を示す斜視図である。
【図１７】同爪先部の袋部に薬剤カイロを挿入する状態を示す斜視図である。
【図１８】同爪先部の袋部に薬剤カイロを挿入した状態を示す斜視図である。
【図１９】同爪先部の袋部に薬剤カイロが挿入された靴下の要部拡大断面図である。
【図２０】同薬剤カイロが挿入された靴下を履いた状態を示す断面図である。
【図２１】本考案の第４の実施の形態における靴下を裏向けた状態において２つ折りした編地の折り目を爪先部上面を形成する上側の編地に横長さ方向中央部に適当長さ残して両側部を縫着し、爪先部の先端部を縫製により閉じ、爪先部上部の開口部を縫製により閉じた状態を示す斜視図である。
【図２２】同爪先部の袋部に薬剤カイロを挿入する状態を示す斜視図である。
【図２３】同爪先部の袋部に薬剤カイロを挿入した状態を示す斜視図である。
【図２４】同爪先部の袋部に薬剤カイロが挿入された靴下の要部拡大断面図である。
【図２５】同薬剤カイロが挿入された靴下を履いた状態を示す断面図である。
【考案を実施するための形態】
【００１３】
以下、本考案の実施の形態について、図面に基づいて説明する。
【００１４】
先ず、図１〜図９に示す第１の実施の形態について説明すると、１は丸編により編成される靴下本体部で、この靴下本体部１の爪先部２は編成時に靴下の爪先部の２倍の大きさの編地３となるように作られ、編成直後の靴下本体部１が裏向いた状態で前記編地３を靴下本体部１の内側に２つ折りし、靴下本体部１の内側に位置する２つ折りした前記編地３の折り目４を靴下本体部１を裏向けた状態において爪先部２下面を形成する下側の編地５に横長さ方向全長に亘って縫着せしめ、爪先部２の先端部６における両端の内、少なくとも一端を残して他の部分を縫製により閉じる。前記爪先部２上部には靴下本体部１の編成段階において開口部７が形成されており、靴下本体部１の製造過程において、前記爪先部２の先端部６が少なくとも一端を残して他の部分を縫製により閉じられた後、開口部７が縫製により閉じられる。その後、開口部７の耳部８が切除される。９は縫着部である。
【００１５】
上記のように作られて、裏向き状態の靴下は靴下本体部１の爪先部２の先端部６における少なくとも一端は縫着されずに開口しており、２つ折りされ内側に位置する上下の編地１０ａ，１０ｂ間に前記先端部６における一端の開口部１１に繋がる袋部１０が形成されており、この袋部１０に対し前記開口部１１より足指の垂れを防止するための矯正プレート１２を挿脱できるように構成されている。なお、前記開口部１１は先端部６における一端に形成されているが、他端にも形成されていても良い。また、２つ折りした前記編地３の折り目４は爪先部２上面を形成する上側の編地１３には縫着されていない。さらに、前記矯正プレート１２はアルミなどの金属あるいは合成樹脂を材料に用いて作られるもので、この矯正プレート１２の形状は２つ折りされ内側に位置する上下の編地１０ａ，１０ｂ間の袋部１０に合う上弦の月に近い形に作られており、足指が当接する部分が下側に湾曲するように作られている。
【００１６】
そして、最終的に靴下本体部１を表に向けることにより靴下が完成する。なお、前記開口部７を縫製により閉じる作業は前記編地３を２つ折りした直後に行なうようにしても良い。
【００１７】
上記した第１の実施の形態において矯正プレート１２が挿入された靴下を着用した場合、足指は前記２つ折りされた上下の編地１０ａ，１０ｂの内、上側の編地１０ａと前記爪先部２上面を形成する上側の編地１３との間に挿入され、２つ折りされた上下の編地１０ａ，１０ｂの内、上側の編地１０ａを介して矯正プレート１２上に載るようになる。そして、足指は靴下の中で矯正プレート１２上に載った状態になるので、老化などによる足指の垂れ現象を矯正プレート１２で防止することができ、つまづいて怪我をするという問題を矯正しながら解消することができる。
【００１８】
次に、図１０〜図１５に示す第２の実施の形態について説明すると、この第２の実施の形態における靴下も前記第１の実施の形態と同様に、丸編により編成される靴下本体部１の爪先部２は編成時に靴下の爪先部の２倍の大きさの編地３となるように作られている。そして第１の実施の形態と異なる点は、編成直後の靴下本体部１が裏向いた状態で前記編地３を２つ折りし、その折り目４を内側に位置せしめることは第１の実施の形態と同様であるが、２つ折りした前記編地３の折り目４を靴下本体部１を裏向けた状態において爪先部２下面を形成する下側の編地５に横長さ方向中央部に適当長さ残して両側部を縫着せしめ、爪先部２の先端部６を全長に亘って縫製により閉じるところにある。
【００１９】
他の構成は使用される矯正プレートの形状を除いて第１の実施の形態と同様である。そして、この第２の実施の形態の靴下は、靴下本体部１を表に向けることにより爪先部２の裏面において前記２つ折りされた上下の編地１０ａ，１０ｂが上下逆になって爪先部２下面を形成する下側の編地５の裏面に重なり、上側に位置する編地１０ｂと爪先部２下面を形成する下側の編地５との間の袋部１０に繋がる開口部１４が横長さ方向中央部に形成されることになり、前記上側に位置する編地１０ｂと下側の編地５との間の袋部１０に対し前記開口部１４より足指の垂れを防止するための矯正プレート１５を挿脱できるように構成されている。この矯正プレート１５の形状は前記第１の実施の形態と異なり、第１の実施の形態の矯正プレート１２を２枚向かい合わせに繋いだ形状を呈している。詳しくは、上弦の月状の２枚の矯正プレート１２のほぼ直線部を互いに平行となるように近づけ、前記開口部１４とほぼ同長さの幅の狭い繋がり部１５ａを介してプレート部１５ｂ，１５ｃを一体に備えている。プレート部１５ｂとプレート部１５ｃとの間の幅の狭い繋がり部１５ａの両側には隙間１５ｄ，１５ｄが形成されている。さらに、プレート部１５ｂ，１５ｃの内、一方のプレート部１５ｂは前記第１の実施の形態の矯正プレート１２と同様に足指が当接する部分が下側に湾曲するように作られて、前記開口部１４より上側に位置する編地１０ｂと爪先部２下面を形成する下側の編地５との間の袋部１０に対し挿入され、他方のプレート部１５ｃは扁平状のままで編地１０ｂ，５間の袋部１０より外方に突出して靴下本体部１の爪先部２に近い裏面に重なるようになる。
【００２０】
なお、２つ折りした前記編地３の折り目４は爪先部２上面を形成する上側の編地１３には縫着されていない。
【００２１】
上記した第２の実施の形態において矯正プレート１５のプレート部１５ｂが前記上側に位置する編地１０ｂと下側の編地５との間の袋部１０に挿入された靴下を着用した場合、足指は前記前記爪先部２上面を形成する上側の編地１３と爪先部２下面を形成する下側の編地５との間に挿入され、爪先部２下面を形成する下側の編地５を介して矯正プレート１２上に載るようになる。そして、足指は靴下の中で矯正プレート１２上に載った状態になるので、老化などによる足指の垂れ現象を矯正プレート１２で防止することができ、つまづいて怪我をするという問題を矯正しながら解消することができる。また、編地１０ｂ，５間の袋部１０より外方に突出するプレート部１５ｃは足指を除く足の前端部を受ける役目をするものであるが、必ずしも設ける必要がない。
【００２２】
次に、図１６〜図２０に示す第３の実施の形態について説明すると、この第３の実施の形態は前記第１の実施の形態の靴下を変形させて第１の実施の形態とは異なった目的に使用できるようにしたものである。第１の実施の形態と異なる点は、２つ折りした前記編地３の折り目４が爪先部２上面を形成する上側の編地１３に横長さ方向全長に亘って縫着されており、爪先部２下面を形成する下側の編地５に縫着されていないことであり、他の構成は第１の実施の形態と同様である。なお、この第３の実施の形態において２つ折りされ内側に位置する上下の編地１０ａ，１０ｂ間の袋部１０に対し先端部６における一端の開口部１６より細長の薬剤カイロ１７が靴下裏向き状態で挿入され、その後靴下は表に向けられる。
【００２３】
この第３の実施の形態の靴下を着用した場合、足指は前記２つ折りされた上下の編地１０ａ，１０ｂの内、下側の編地１０ｂと爪先部２下面を形成する下側の編地５との間に挿入され、挿入された足指に対し２つ折りされた上下の編地１０ａ，１０ｂの内、下側の編地１０ｂを介して薬剤カイロ１７が被さるようになる。そして、足指には靴下の中で薬剤カイロ１７が被さった状態になるので、足指の保温効果が得られることになる。
【００２４】
次に、図２１〜図２５に示す第４の実施の形態について説明すると、この第４の実施の形態は前記第２の実施の形態の靴下を変形させて第２の実施の形態とは異なった目的に使用できるようにしたものである。第２の実施の形態と異なる点は、２つ折りした前記編地３の折り目４を靴下本体部１を裏向けた状態において爪先部２上面を形成する上側の編地１３に横長さ方向中央部に適当長さ残して両側部を縫着してあり、靴下本体部１を表に向けることにより爪先部２の上面において前記２つ折りされた上下の編地１０ａ，１０ｂが上下逆になって爪先部２上面を形成する上側の編地１３の上面に重なり、下側に位置する編地１０ａと靴下本体部１の爪先部２上面を形成する上側の編地１３との間の袋部１０に繋がる開口部１８が横長さ方向中央部に形成されることになり、前記下側に位置する編地１０ａと上側の編地１３との間の袋部１０に対し前記開口部１８より薬剤カイロ１７を挿脱できるように構成されている。そして、２つ折りした前記編地３の折り目４は爪先部２下面を形成する下側の編地５には縫着されていないことであり、他の構成は第２の実施の形態と同様である。
【００２５】
この第４の実施の形態の靴下を着用した場合、足指は前記前記爪先部２上面を形成する上側の編地１３と爪先部２下面を形成する下側の編地５との間に挿入され、爪先部２上面を形成する上側の編地１３を介して薬剤カイロ１７が被さるようになる。そして、足指には靴下の中で薬剤カイロ１７が被さった状態になるので、足指の保温効果が得られることになる。
【００２６】
要するに、以上述べた実施の形態からも分かるように、本考案の靴下は足指を包む部分に袋部１０を設けた靴下であって、袋部１０には上記した矯正プレートや薬剤カイロを収納できるものである。なお、袋部１０に収納するものとしては矯正プレートや薬剤カイロに限定されるものではない。
【産業上の利用可能性】
【００２７】
本考案の靴下は、例えば老化などによる足指の垂れ現象を矯正するような矯正プレートなどを収納できるようにした靴下である。
【符号の説明】
【００２８】
１      靴下本体部
２      爪先部
３      編地
４      折り目
５      下側の編地
６      先端部
７      開口部
８      耳部
９      縫着部
１０      袋部
１０ａ    上側の編地
１０ｂ    下側の編地
１１      開口部
１２      矯正プレート
１３      上側の編地
１４      開口部
１５      矯正プレート
１５ａ    繋がり部
１５ｂ    プレート部
１５ｃ    プレート部
１５ｄ    隙間
１６      開口部
１７      薬剤カイロ
１８      開口部